(57)【要約】【課題】本発明は本発明は誰でもが気軽に失敗することなく、文字や図柄等の模様を付することができる模様付与用具を得るにある。【解決手段】模様付与用具本体と、この模様付与用具本体に設けられた、所望する文字や絵等の模様を所定位置にバランスよく位置決めして付すことができる位置決め部とで模様付与用具を構成している。【選択図】  図１
2004216858.tif 000002
【特許請求の範囲】
【請求項１】
模様付与用具本体と、この模様付与用具本体に設けられた、所望する文字や絵等の模様を所定位置にバランスよく位置決めして付すことができる位置決め部とからなることを特徴とする模様付与用具。
【請求項２】
前記位置決め部は所望する文字や絵等の模様を所定位置に付することができるように位置決めされた状態で、枠状に形成されていることを特徴とする特許請求の範囲第１項記載の模様付与用具。
【請求項３】
前記位置決め部は所望する文字や絵等の模様を所定位置に付することができるように位置決めされた状態で、切り離し可能に設けられていることを特徴とする特許請求の範囲第１項記載の模様付与用具。
【請求項４】
前記模様付与用具本体は、所望する文字や絵等の模様を所定位置に位置決めして付すことができる葉書や色紙等の台紙であることを特徴とする特許請求の範囲第１項記載の模様付与用具。
【発明の詳細な説明】
【０００１】
【発明の属する技術分野】
本発明は、葉書や色紙等に応じた形式にきれいに付すことができる模様付与用具に関する。
【０００２】
【従来の技術】
従来、葉書や色紙等に応じた形式に文字や絵等の模様を付す場合、ペンや筆等の筆記用具を用いて書いている。
【０００３】
【発明が解決しようとする課題】
従来のペンや筆等の筆記用具を用いて葉書や色紙等に住所や名前等をきれいに書こうとしても、バランスが取れないために誰でもがきれいにできず、失敗してやり直しが必要になる等、短時間にできないという欠点があった。
【０００４】
本発明は以上のような従来の欠点に鑑み、誰でもが失敗することなく、葉書や色紙等に応じた形式に住所や名前等をバランスよく、きれいに書くことができる模様付与用具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は模様付与用具本体と、この模様付与用具本体に設けられた、所望する文字や絵等の模様を所定位置にバランスよく位置決めして付すことができる位置決め部とで模様付与用具を構成している。
【０００７】
【発明の実施の形態】
以下、図面に示す実施の形態により、本発明を詳細に説明する。
【０００８】
図１ないし図３に示す本発明の第１の実施の形態において、１は本発明の模様付与用具で、この模様付与用具１は、葉書大の大きさで、透明あるいは半透明の合成樹脂材で形成された模様付与用具本体２と、この模様付与用具本体２に形成された、所望する文字や絵等の模様３を所定位置に付することができるようにバランスよく位置決めされた状態で、枠状に切り抜き状態で形成された位置決め部４とで構成されている。
【０００９】
前記位置決め部４は、宛先の住所を位置決めした状態で所定位置に付すことができるように形成された少なくとも１つ以上、本実施の形態では１つの第１の位置決め部５と、この第１の位置決め部５の近傍部位に、宛名を位置決めした状態で所定位置に付すことができるように形成された少なくとも１つ以上、本実施の形態では１つの第２の位置決め部６と、この第２の位置決め部６の近傍部位に、差出人の住所を位置決めした状態で所定位置に付すことができるように形成された第３の位置決め部７と、この第３の位置決め部７の近傍部位に、差出人の氏名を位置決めした状態で所定位置に付すことができるように形成された第４の位置決め部８とで構成されている。
【００１０】
上記構成の模様付与用具１は、官製葉書Ｈの宛先記入面の上に載せることにより、各位置決め部５、６、７、８がきれいに、かつバランスよく文字を付すための位置決めをするので、きれいに住所や氏名を付すことができるとともに、文字を付す手を前記模様付与用具１上に置いて、各位置決め部内に文字を書いていくため、乾くのを待つことなく、手を汚さずに順次付していくことができる。
【００１１】
【発明の異なる実施の形態】
次に、図４ないし図に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図４および図５に示す本発明の第２の実施の形態において、前記本発明の第１の実施の形態と主に異なる点は、２つの第１の位置決め部５Ａ、５Ａを用いた点で、このように構成した位置決め部４Ａを用いた模様付与用具１Ａにしても本発明の第１の実施の形態と同様の作用効果を得ることができるとともに、建物や号数等をきれいにバランスよく記入することができる。
【００１３】
図６および図７に示す本発明の第３の実施の形態において、前記本発明の第１の実施の形態と主に異なる点は、２つの第２の位置決め部６Ａ、６Ａを用いた点で、このように構成した位置決め部４Ｂを用いた模様付与用具１Ｂにしても本発明の第１の実施の形態と同様の作用効果を得ることができるとともに、会社名や部署名、担当者名等をきれいにバランスよく記入することができる。
【００１４】
図８ないし図１０に示す本発明の第４の実施の形態において、前記本発明の第１の実施の形態と主に異なる点は、のし袋Ｎの形状に合うように形成され、透明あるいは半透明の合成樹脂材で形成された模様付与用具本体２Ａと、この模様付与用具本体２Ａに形成された、所望する文字や絵等の模様３を所定位置に付することができるように位置決めされた状態で、枠状に形成された第１の位置決め部５Ｂ、この第１の位置決め部５Ｂの近傍部位に形成された、名字だけを付す場合の字数や、名前を含む氏名を付す場合の字数によって付することができる範囲を示す第５の位置決め部９とからなる位置決め部４Ｃを用いた点で、このように構成された位置決め部４Ｃを用いた模様付与用具１Ｃは、例えば、苗字２文字、名前２文字の場合は、図９に示すような模様付与用具１Ｃ、苗字３文字の場合のみの場合は、図１０に示す模様付与用具１Ｃ’を使用する等、使用者の意向によって、苗字だけの場合や、氏名を記入する際に、使用者の所望する字数に対応した模様付与用具を使用することによって、きれいにバランスよく付することができる。
【００１５】
図１１に示す本発明の第５の実施の形態において、前記本発明の第１の実施の形態と主に異なる点は、所望する文字や絵等の模様を所定位置に付すことができるように各位置決め部部位の上下部位に設けた第５の位置決め部９Ａを用いた点で、このように構成した位置決め部４Ｄを用いた模様付与用具１Ｄにしても、本発明の第１の実施の形態と同様の作用効果を得ることができるとともに、文字の中心を意識しながら真っ直ぐに書き込むことができる。
【００１６】
図１２ないし図１５に示す本発明の第６の実施の形態において、前記本発明の第１の実施の形態と主に異なる点は、模様付与用具本体２Ｂと、この模様付与用具本体２Ｂに形成された、所望する文字や絵等の模様３を所定位置に付することができるように、切り離し可能に形成された位置決め部４Ｅとで構成された点で、このように構成した模様付与用具１Ｅは、図１３に示すように、前記位置決め部４Ｅを前記模様付与用具本体２Ｂからハサミやカッター等で切り離した後、図１４に示すように葉書や色紙等に載せてバランスのよい位置で位置決めをして、該位置決め部４Ｅの外周を鉛筆等で縁取りすることによって、所望する文字や絵等の模様３を位置決め状態で付することができる。さらに、図１５に示すように、筆を加えてバランスのよい絵を書くことができるので、本発明の第１の実施の形態と同様の作用効果を得ることができる。
なお、本実施の形態では、枠線を用いて位置決め部を形成していたが、ミシン目等で切り離し可能に形成してもよい。
【００１７】
図１６および図１７に示す本発明の第７の実施の形態において、前記本発明の第６の実施の形態と主に異なる点は、葉書や色紙等の台紙を形成する模様付与用具本体２Ｃと、この模様付与用具本体２Ｃに取外し可能に位置決めされた状態で設けられた、所望する文字や絵等の模様３を所定位置に付することができる位置決め部４Ｆとで構成された点で、このように構成した位置決め部４Ｆを用いた模様付与用具１Ｆにしても、本発明の第６の実施の形態と同様の作用効果を得ることができる。
【００１８】
図１８ないし図２１に示す本発明の第８の実施の形態において、前記本発明の第１の実施の形態と主に異なる点は、模様付与用具本体２に形成された、所望する文字や絵等の模様３をバランスよく付することができるように、所定間隔で線状に形成された位置決め部４Ｇを用いた点で、このように構成した位置決め部４Ｇを用いた模様付与用具１Ｇは、図１９に示すように、葉書の上に置いた後、位置決め部４Ｇに沿ってラインを入れることにより、罫線のない葉書にでも、所望する文字や絵等の模様３をバランスよく付することができるとともに、前記位置決め部４Ｇを用いて描いた位置決め用のラインは、模様３を付した後に消してもよいし、デザインとして残してもよい。また、挿絵等が描いてある葉書を利用する場合でも、挿絵の部分にラインを入れることなく、前記模様を付すことができる。
なお、本実施の形態では、縦書きに用いる位置決め部を使用して説明したが、図２１に示すような横書き用の位置決め部を用いたものでもよく、斜線、円形状の線等でもよい。
【００１９】
図２２ないし図２４に示す本発明の第９の実施の形態において、前記本発明の第８の実施の形態と主に異なる点は、位置決め部部位の中心位置が分かるように、位置決め部部位の上下および左右方向部位に設けた第５の位置決め部９Ｂ、９Ｂを用いた点で、このように構成した位置決め部４Ｈを用いた模様付与用具１Ｈにしても、本発明の第８の実施の形態と同様の作用効果を得ることができるとともに、葉書Ｈの中心を意識しながらバランスを容易に取ることができる。
なお、図２４に示すように、上下および左右方向部位に設けた第５の位置決め部９Ｂ、９Ｂのどちらか一方だけを用いたものでもよい。
【００２０】
なお、前記本発明の異なる実施の形態では主に第１の実施の形態を基にして説明したが、本発明はこれに限らず、各実施の形態に使用された構成を組み合わせて使用しても同様な作用効果が得られる。
【００２１】
【発明の効果】
以上の説明から明らかなように、本発明にあっては次に列挙する効果が得られる。
【００２２】
（１）模様付与用具本体と、この模様付与用具本体に設けられた、所望する文字や絵等の模様を所定位置にバランスよく位置決めして付すことができる位置決め部とからなるので、文字や絵等の模様のバランスが取りにくい葉書や色紙等に、所望する文字や絵等の模様をバランスよく書くことができる。
したがって、誰でもが失敗することなくきれいに書くことができる。
【００２３】
（２）前記（１）によって、合成樹脂材を切り抜くだけで形成することができるので、製造が容易で、安価に製造することができる
【００２４】
（３）前記（１）によって、模様付与用具本体を葉書や色紙等の上に載せて、位置決め部内に文字や絵等の模様を付することができるので、乾くのを待つことなく、手を汚さずに順次付していくことができる。
【００２５】
（４）請求項２〜４も前記（１）〜（３）と同様な作用効果が得られる。
【図面の簡単な説明】
【図１】本発明の第１の実施の形態の正面図。
【図２】本発明の第１の実施の形態の図１の２−２線に沿う断面図。
【図３】本発明の第１の実施の形態の使用状態の説明図。
【図４】本発明の第２の実施の形態の正面図。
【図５】本発明の第２の実施の形態の使用状態の説明図。
【図６】本発明の第３の実施の形態の正面図。
【図７】本発明の第３の実施の形態の使用状態の説明図。
【図８】本発明の第４の実施の形態の正面図。
【図９】本発明の第４の実施の形態の苗字２文字、名前２文字の場合の使用状態の説明図。
【図１０】本発明の第４の実施の形態の苗字３文字の場合の使用状態の説明図。
【図１１】本発明の第５の実施の形態の正面図。
【図１２】本発明の第６の実施の形態の正面図。
【図１３】本発明の第６の実施の形態の模様の切り離し状態の説明図。
【図１４】本発明の第６の実施の形態の模様の位置決め縁取り状態の説明図。
【図１５】本発明の第６の実施の形態の模様の完成図。
【図１６】本発明の第７の実施の形態の正面図。
【図１７】本発明の第７の実施の形態の図１６の１７−１７線に沿う断面図。
【図１８】本発明の第８の実施の形態の正面図。
【図１９】本発明の第８の実施の形態の図１８の１９−１９線に沿う断面図。
【図２０】本発明の第８の実施の形態の使用状態の説明図。
【図２１】本発明の第８の実施の形態の参考図。
【図２２】本発明の第９の実施の形態の正面図。
【図２３】本発明の第９の実施の形態の図２２の２３−２３線に沿う断面図。
【図２４】本発明の第９の実施の形態の参考図。
【符号の説明】
１、１Ａ〜１Ｈ：模様付与用具、      ２、２Ａ〜２Ｃ：模様付与用具本体、
３：模様、                          ４、４Ａ〜４Ｈ：位置決め部、
５、５Ａ、５Ｂ：第１の位置決め部、  ６、６Ａ：第２の位置決め部、
７：第３の位置決め部、              ８：第４の位置決め部、
９、９Ａ、９Ｂ：第５の位置決め部、  Ｈ：葉書、
Ｎ：のし袋。
【図１】
2004216858.tif 000003
【図２】
2004216858.tif 000004
【図３】
2004216858.tif 000005
【図４】
2004216858.tif 000006
【図５】
2004216858.tif 000007
【図６】
2004216858.tif 000008
【図７】
2004216858.tif 000009
【図８】
2004216858.tif 000010
【図９】
2004216858.tif 000011
【図１０】
2004216858.tif 000012
【図１１】
2004216858.tif 000013
【図１２】
2004216858.tif 000014
【図１３】
2004216858.tif 000015
【図１４】
2004216858.tif 000016
【図１５】
2004216858.tif 000017
【図１６】
2004216858.tif 000018
【図１７】
2004216858.tif 000019
【図１８】
2004216858.tif 000020
【図１９】
2004216858.tif 000021
【図２０】
2004216858.tif 000022
【図２１】
2004216858.tif 000023
【図２２】
2004216858.tif 000024
【図２３】
2004216858.tif 000025
【図２４】
2004216858.tif 000026